【手続補正書】
【提出日】平成17年2月16日(2005.2.16)
【手続補正１】
【補正対象書類名】明細書
【補正対象項目名】全文
【補正方法】変更
【補正の内容】
【書類名】      明細書
【発明の名称】  二段式クリック感キースイッチ
【特許請求の範囲】
【請求項１】  回路がエッチングされた回路層と、該回路層の上に設けられる円弧凸状の金属弾性片と、該回路層の上方に重ねて設けられ該金属弾性片に対応する部分が弾性突出してキーとされたキー板と、を具え、
この弾性突出するキーを押下げる時、第１段クリック感を発生し、並びに更に続けてキーを押下げて該キーの底面を該金属弾性片に圧接させて金属弾性片を凹ませ並びに該回路を導通させると同時に、第２段クリック感を発生し、二段式クリック感を達成することを特徴とする、二段式クリック感キースイッチ。
【請求項２】  請求項１に記載の二段式クリック感キースイッチにおいて、金属弾性片の表面を絶縁薄膜が被覆し、該絶縁薄膜表面に回路が連接され、且つ該キーの底面に導電ゴムが設けられ、該キーを押下げて強制的に該導電ゴムを該絶縁薄膜表面の回路に圧接することにより回路が導通することを特徴とする、二段式クリック感キースイッチ。
【請求項３】  請求項１又は請求項２に記載の二段式クリック感キースイッチにおいて、キーの突出方式は、該キーの底部周縁に、斜め下に環状の弾性を有するリブが設けられ、並びにキー板と連結されたことを特徴とする、二段式クリック感キースイッチ。
【請求項４】  請求項２に記載の二段式クリック感キースイッチにおいて、更に回路層に重ねられたベースがあり、該ベースに金属弾性片を放置するための穿孔が設けられて該金属弾性片の円弧凸部を露出させ、これにより絶縁薄膜と回路層の両者の間隙中に残存する余分の空気がキーの押下げ時の二段式クリック感に影響を与えるのを防止すると共に、回路の火花発生を防止したことを特徴とする、二段式クリック感キースイッチ。
【請求項５】  請求項１に記載の二段式クリック感キースイッチにおいて、回路層がＰＣＢ、ＦＰＣＢ等のプリント基板構造とされたことを特徴とする、二段式クリック感キースイッチ。
【発明の詳細な説明】
【０００１】
【発明の属する技術分野】
本発明は一種の二段式クリック感キースイッチに係り、特に、軽くキーを押す時、第１段クリック感を提供し、その後、僅かに大きな力でキーを押すと、第２段クリック感を発生し、これにより二段式クリック感動作を完成し、薄層を重ねた設計を利用し、全体の厚さを扁平化した二段式クリック感キースイッチに関する。
【０００２】
【従来の技術】
一般に見られる多段式クリック感を有するスイッチは、ほとんどがカメラのシャッターボタン、携帯電話のダイアルキー、キーボードのキーなどに応用され、ワンプッシュ式多機能のキーに設計可能とされる。
【０００３】
多段式クリック感を有するキースイッチの設計には、台湾特許出願第８９２２１９２７号の「クリック感を有するキーボードのスイッチ」があり、それは、基板、第１手段、第２手段及びキーで構成されている。そのうち、第１手段と第２手段には交錯枢接方式が採用され、さらに基板の軸孔及び係止溝内に枢設され、並びに上端のキーを支持し、第１手段の横座の一端に中軸孔方向に向けて延伸アームが設けられ、延伸アームの前端底部にフランジが設けられ、第２手段の框形空間内に、中軸の内側に対応して延伸アームが延伸され、この延伸アームの表面が軸状の錐端に形成され、並びにこの延伸アームの錐端がちょうど第１手段に設けられた延伸アームのフランジに対応し、キー押下運動時に、フランジと錐端の押圧によりキーのクリック感が形成される。
【０００４】
このように第１手段と第２手段のような框形構造体を交錯するよう枢接する方式を利用すると、往々にして全体体積が増加し、並びに設計のマイクロ化を達成できず、且つフランジと錐端が長期の押圧摩擦後に、磨耗を発生してクリック感が消失することがあった。
【０００５】
このほか、カメラ専用のシャッターボタンもまた、ほとんどが多段クリック感式設計とされるが、構造設計上の問題のため、往々にしてボタンが明らかに突出し、即ちボタンの厚さが厚くなった。
【０００６】
このため、本発明は一種の二段式クリック感キースイッチを提供し、それは薄層を重ねた設計により、全体の厚さを扁平化したスイッチである。
【０００７】
【発明が解決しようとする課題】
本発明は一種の二段式クリック感キースイッチを提供することを課題とし、それは、回路層、ベース、弾性片、絶縁薄膜及びキー板が下から上に順に重ねられてなり、そのうちキー板が突出させられて弾性を有するキーとされ、キーの底面に導電ゴムが設けられ、弾性片は円弧凸状とされて、その上に重ねられた絶縁層に対応して突出する円弧凸部が設けられ、弾性突出するキーを押下げる時、第１段クリック感を発生し、続いてキーを押下げて強制的に円弧凸部及び弾性片を凹ませると、第２段クリック感を発生し、これにより一つのキーを押圧して、二段式クリック感を達成し、且つ薄層を重ねた設計により、全体の厚さを扁平化し、カメラ、携帯電話等のキー機能を有する構造に相当に適用するものとされ、ワンプッシュ式多機能キーに設計される。
【０００８】
【課題を解決するための手段】
請求項１の発明は、回路がエッチングされた回路層と、該回路層の上に設けられる円弧凸状の金属弾性片と、該回路層の上方に重ねて設けられ該金属弾性片に対応する部分が弾性突出してキーとされたキー板と、を具え、
この弾性突出するキーを押下げる時、第１段クリック感を発生し、並びに更に続けてキーを押下げて該キーの底面を該金属弾性片に圧接させて金属弾性片を凹ませ並びに該回路を導通させると同時に、第２段クリック感を発生し、二段式クリック感を達成することを特徴とする、二段式クリック感キースイッチとしている。
請求項２の発明は、請求項１に記載の二段式クリック感キースイッチにおいて、金属弾性片の表面を絶縁薄膜が被覆し、該絶縁薄膜表面に回路が連接され、且つ該キーの底面に導電ゴムが設けられ、該キーを押下げて強制的に該導電ゴムを該絶縁薄膜表面の回路に圧接することにより回路が導通することを特徴とする、二段式クリック感キースイッチとしている。
請求項３の発明は、請求項１又は請求項２に記載の二段式クリック感キースイッチにおいて、キーの突出方式は、該キーの底部周縁に、斜め下に環状の弾性を有するリブが設けられ、並びにキー板と連結されたことを特徴とする、二段式クリック感キースイッチとしている。
請求項４の発明は、請求項２に記載の二段式クリック感キースイッチにおいて、更に回路層に重ねられたベースがあり、該ベースに金属弾性片を放置するための穿孔が設けられて該金属弾性片の円弧凸部を露出させ、これにより絶縁薄膜と回路層の両者の間隙中に残存する余分の空気がキーの押下げ時の二段式クリック感に影響を与えるのを防止すると共に、回路の火花発生を防止したことを特徴とする、二段式クリック感キースイッチとしている。
請求項５の発明は、請求項１に記載の二段式クリック感キースイッチにおいて、回路層がＰＣＢ、ＦＰＣＢ等のプリント基板構造とされたことを特徴とする、二段式クリック感キースイッチとしている。
【０００９】
【発明の実施の形態】
本発明の二段式クリック感キースイッチは、回路層５、ベース４、弾性片３、絶縁薄膜２及びキー板１が下から上に順に重ねられてなる。
【００１０】
図２を参照されたい。回路層５はハードカード（板）或いはソフトゴムシートで形成され、その表面にプラス、マイナスの二極が引き出された回路５１が印刷或いはエッチングされ、例えばプリント基板（ＰＣＢ、ＦＰＣＢ）とされる。そのうち、回路層５の上に重ねられるベース４は貫通孔４１を具え、ベース４が回路層５の表層に重ねられる時、凹孔４２が形成され、且つ凹孔４２がちょうど回路層５の表面の回路５１に整合し、上面が円弧凸状の金属の弾性片３の置き入れに供され、金属弾性片３の円弧凸部の上面が凹孔４２より突出する。このほか、注意すべきは、ベース４を必ずしも設置する必要はないということであり、これは、ベース４の主要な目的は絶縁薄膜２と回路層５の両者の間隙中に僅かな空気が残存してキー１１を押す時の二段式クリック感に影響を与えるのを防止し、さらに回路に火花が発生するのを防止することにあり、このためベース４未設置の状態で、全体の操作効果に対して顕著な影響は形成しないためである。
【００１１】
また、ベース４の上に重ねられる絶縁薄膜２は、ゴム薄膜シート状とされ、その金属弾性片３の円弧凸部の上面に対応する部分には円弧凸部２１が設けられ、絶縁薄膜２がベース４の上に重ねられる時、その円弧凸部２１内底がちょうど緊密に弾性片３の円弧凸部上面に密着し被覆状を呈し、これは図２に示されるとおりであり、且つ絶縁薄膜２の円弧凸部２１の表面に回路２１１がエッチングされており、並びに薄膜回路２１１のプラス、マイナスの二極が引き出されている。
【００１２】
絶縁薄膜２の上に重ねられるキー板２は、合成ゴムで形成され、その絶縁薄膜２の円弧凸部２１に対応する部分が突出させられてキー１１が設けられ、それはキー１１の底面周縁に斜め下の環状のリブ１２が設けられ並びにキー板１に連接され、突出するキー１１の底部と絶縁薄膜２の間に内部空間を形成している。
【００１３】
図３に示されるように、キー１１を押下げる時、リブ１２が合成ゴム材質であり適当な弾性及び柔軟度を有するため、リブ１２が折れ曲がり弾性変形を発生し、キー１１を下に沈ませ、これにより第１段クリック感を発生し、並びに導電ゴム１３が絶縁薄膜２の円弧凸部２１表面にエッチングされた回路２１１に圧接して、回路２１１のプラス、マイナス極を導通させ、この導通作用を機能作用として定義できる。
【００１４】
図４に示されるように、第１段クリック感動作後、続けて押下げる力を与えて回路２１１上の導電ゴム１３に圧接し、完全に回路２１１を被覆するよう圧接すると、この瞬間に絶縁薄膜２の円弧凸部２１が、導電ゴム１３の押下げる力を受けて下に沈み、連帯して金属弾性片３を陥没変形させ、金属弾性片３が瞬間的に変形を発生すると同時に、第２段クリック感を発生し、並びに金属弾性片３が回路２１１のプラス、マイナス極に導通し、この動作は更に一つの機能作用に定義できる。
【００１５】
図５に示されるように、二段式クリック感スイッチ押下げ動作を完成した後、金属弾性片３は適当な弾性を有する金属材質であるため、キー１１押圧状態解除後に、迅速に元の円弧凸状に回復し、並びに円弧凸部２１がもとの位置に回復する。並びに図６も参照されたい。弾性変形を呈するリブ１２は弾性回復力により、上向きに弾性回復しもとの凸設状態に回復する。このほか、図７に示される本考案の第２種の実施例によると、回路層５上の回路接点は正極の円接点５１ｂ及び負極の同心円接点５１ａで構成される。図８に示される動作中、キー１１が押された後、金属弾性片３の下端が先ず円接点５１ａと接触し、その後、弾性片３が押圧されて凹んだ円形上部と円接点５１ｂが接触し電気を導通させる。
【００１６】
【発明の効果】
以上から分かるように、本発明は、回路層、ベース、金属弾性片、絶縁薄膜及びキー板が下から上に順に重ねられた設計により、二段式クリック感を有するほか、全体の厚さを扁平化し、カメラ、携帯電話等の、一部の設計がワンプッシュ式多機能のキー、例えば携帯電話のキーに適用可能で、キーを押下げて第１段クリック感を発生する時（回路導通）、一つの機能を実行でき（例えば一つの機能メニューを表示）、続けてキーを押し下げて第２段クリック感を発生する（もう一つの回路導通）時、別に一つの機能を実行し（例えば別の機能メニューを表示）、こうしてワンプッシュ多機能の機能を達成し、相当に実用的である。
【００１７】
総合すると、本発明の二段式クリック感キースイッチは、完全に従来の技術の欠点を排除し、確実に機能を増進し、特許の要件に符合する。なお、本発明に基づきなしうる細部の修飾或いは改変は、いずれも本発明の請求範囲に属するものとする。
【図面の簡単な説明】
【図１】
本発明の分解図である。
【図２】
本発明の絶縁薄膜の部分拡大図である。
【図３】
本発明の押下連続動作表示図である。
【図４】
本発明の押下連続動作表示図である。
【図５】
本発明の押下連続動作表示図である。
【図６】
本発明の押下連続動作表示図である。
【図７】
本発明の第２実施例の拡大断面図である。
【図８】
本発明の第２実施例の動作表示図である。
【符号の説明】
１  キー板
１１  キー
１２  リブ
１３  導電ゴム
２  絶縁薄膜
２１  円弧凸部
２１１  回路
３  弾性片
４  ベース
４１  貫通孔
４２  凹孔
５  回路層
５１  回路
５１ａ  円接点
５１ｂ  円接点
【手続補正２】
【補正対象書類名】図面
【補正対象項目名】図７
【補正方法】追加
【補正の内容】
【図７】
2003249144.tif 000001
【手続補正３】
【補正対象書類名】図面
【補正対象項目名】図８
【補正方法】追加
【補正の内容】
【図８】
2003249144.tif 000002